(57)【要約】【課題】手動ハンドルに簡単に連結することが出来、作業効率を改善した開閉バルブ用ハンドルの操作装置を提供する。【解決手段】スタンドフレーム上部に駆動源固定部を介して電動駆動部を設定固定し、電動駆動部の出力軸に減速機構を介して開閉バルブ用ハンドル開閉操作を行うためのハンドルクランプ部を連動連設し、減速機構は、駆動部の出力軸前方でスタンドフレームに設置し、減速機構の減速出力部には仮想円環上の複数位置に開閉バルブ用ハンドルのスポークに当接自在のクランプバーを突設したハンドルクランプ部を連動連設した。【選択図】図１
2019215034.tif 000002
【特許請求の範囲】
【請求項１】
スタンドフレーム上部に駆動源固定部を介して電動駆動部を設定固定し、
電動駆動部の出力軸に減速機構を介して開閉バルブ用ハンドル開閉操作を行うためのハンドルクランプ部を連動連設した開閉バルブ用ハンドルの操作装置において、
減速機構は、駆動部の出力軸前方でスタンドフレームに設置し、
減速機構の減速出力部には仮想円環上の複数位置に開閉バルブ用ハンドルのスポークに当接自在のクランプバーを突設したハンドルクランプ部を連動連設したことを特徴とする開閉バルブ用ハンドルの操作装置。
【請求項２】
駆動部は電動ドライバーであることを特徴とする請求項１に記載の開閉バルブ用ハンドルの操作装置。
【請求項３】
駆動部はＤＣモータであることを特徴とする請求項１に記載の開閉バルブ用ハンドルの操作装置。
【請求項４】
駆動源固定部は電動ドライバーの左右ステーを固定するステー係合部と、
電動ドライバーの下部ケースを支持する支持フレームと、
より構成したことを特徴とする請求項１乃至３の何れか１項に記載の開閉バルブ用ハンドルの操作装置。
【請求項５】
ハンドルクランプ部は中心部を減速機構の減速出力部に連動連設したバー支持円環板と、
該円環板の周縁に複数個突設したクランプバーと、
より構成したことを特徴とする請求項１乃至４の何れか１項に記載の開閉バルブ用ハンドルの操作装置。
【請求項６】
スタンドフレームには垂直支持板を上下位置調整自在に取付け、
垂直支持板前面に減速機構を、後面に駆動部を装着したことを特徴とする請求項１乃至５の何れか１項に記載の開閉バルブ用ハンドルの操作装置。
【請求項７】
スタンドフレームは、側面視略Ｌ字状に構成し、下部突出部は足踏み固定フレームとしたことを特徴とする請求項１乃至６の何れか１項に記載の開閉バルブ用ハンドルの操作装置。
【発明の詳細な説明】
【技術分野】
【０００１】
本発明は、開閉バルブ用ハンドルに接続して開閉操作を行うための開閉バルブ用ハンドルの操作装置に関する。
【背景技術】
【０００２】
従来、ハンドルを回転させて対象の開閉操作を行う場合に、ハンドル側に接続して動力で回転させる技術が使用されている。
【０００３】
このようなハンドル側に接続して動力で回転させる技術として、例えば、特許文献１で開示されたような技術がある。当該技術は、可搬式の駆動装置にモータを装備し、駆動装置のハンドルを持って保持し、モータの出力軸を手動ハンドルの回転軸に連結部を介して接続し、モータの動力により手動ハンドルを回転させるものである。
【先行技術文献】
【特許文献】
【０００４】
【特許文献１】特開２０１７−２０３３３１号公報
【発明の概要】
【発明が解決しようとする課題】
【０００５】
上述の従来技術では、駆動装置を手で保持して操作を行わなければならず、モータの出力軸を手動ハンドルの回転軸に接続する連結部構成が必要で、操作作業が煩雑であり、効率が悪いという問題点がある。
【０００６】
本発明は、上述した問題点に鑑みてなされたものであり、手動ハンドルに簡単に連結することが出来、踏面に載置起立させて安定して操作できるようにして、操作作業が容易であり、作業効率を改善した開閉バルブ用ハンドルの操作装置を提供することを目的としている。
【課題を解決するための手段】
【０００７】
本発明の第１の態様は、スタンドフレーム上部に駆動源固定部を介して電動駆動部を設定固定し、
電動駆動部の出力軸に減速機構を介して開閉バルブ用ハンドル開閉操作を行うためのハンドルクランプ部を連動連設した開閉バルブ用ハンドルの操作装置において、
減速機構は、駆動部の出力軸前方でスタンドフレームに設置し、
減速機構の減速出力部には仮想円環上の複数位置に開閉バルブ用ハンドルのスポークに当接自在のクランプバーを突設したハンドルクランプ部を連動連設したことを特徴とする開閉バルブ用ハンドルの操作装置である。
【０００８】
この第１の態様によれば、開閉バルブ用ハンドルの操作装置を使用するには、開閉バルブ用ハンドルにスタンドフレーム上部を臨ませ、ハンドルクランプ部の仮想円環上の複数位置に突設されたクランプバーを開閉バルブ用ハンドルのスポークに当接させる。
そこで、駆動源固定部を介してスタンドフレーム上部に設定固定された電動駆動部を作動させると、電動駆動部の出力軸に、駆動部の出力軸前方のスタンドフレームに設置されて減速機構を介して、その減速出力部に連動連設された開閉操作を行うためのハンドルクランプ部が回動する。これにより、開閉バルブ用ハンドルが回転駆動され、開閉バルブが開くことになる。なお、同様にして駆動部を逆回転させれば、開閉バルブは閉じられる。
そして、ハンドルクランプ部に突設されたクランプバーを開閉バルブ用ハンドルのスポークから離せば、開閉バルブ用ハンドルの操作装置を搬送移動して別の現場で使用することが出来る。
【０００９】
また、本発明の第２の態様は、駆動部は電動ドライバーであることを特徴とする態様１に記載の開閉バルブ用ハンドルの操作装置である。
第２の態様により、駆動部を電動ドライバーとしたので、市販の安価な電動ドライバーを使用することが出来、安価で単純な構造とすることが出来る。
【００１０】
また、本発明の第３の態様は、駆動部はＤＣモータであることを特徴とする態様１に記載の開閉バルブ用ハンドルの操作装置である。
第３の態様によれば、駆動部をＤＣモータとしたので、安定したＤＣモータを使用して、安定した性能の開閉バルブ用ハンドルの操作装置とすることが出来る。
【００１１】
また、本発明の第４の態様は、駆動源固定部は電動ドライバーの左右ステーを固定するステー係合部と、電動ドライバーの下部ケースを支持する支持フレームと、より構成したことを特徴とする態様１乃至３の何れか１項に記載の開閉バルブ用ハンドルの操作装置である。
第４の態様によれば、駆動源固定部のステー係合部に電動ドライバーの左右ステーを固定し、支持フレームに電動ドライバーの下部ケースを支持するようにしたので、電動ドライバーを使用する構成として適切なものとすることが出来る。
【００１２】
また、本発明の第５の態様は、ハンドルクランプ部は中心部を減速機構の減速出力部に連動連設したバー支持円環板と、該円環板の周縁に複数個突設したクランプバーと、より構成したことを特徴とする態様１乃至４の何れか１項に記載の開閉バルブ用ハンドルの操作装置である。
第５の態様によれば、ハンドルクランプ部を、中心部を減速機構の減速出力部に連動連設したバー支持円環板と、該円環板の周縁に複数個突設したクランプバーと、より構成したので、開閉バルブ用ハンドルに操作装置を容易かつ確実に接続することが出来、使い勝手の良い開閉バルブ用ハンドルの操作装置とすることが出来る。
【００１３】
また、本発明の第６の態様は、スタンドフレームには垂直支持板を上下位置調整自在に取付け、垂直支持板前面に減速機構を、後面に駆動部を装着したことを特徴とする態様１乃至５の何れか１項に記載の開閉バルブ用ハンドルの操作装置である。
第６の態様によれば、スタンドフレームに垂直支持板を上下位置調整自在に取付けたので、開閉バルブ用ハンドルの高さに操作装置の垂直支持板の高さを容易に合わせることが出来、使い勝手の良い開閉バルブ用ハンドルの操作装置とすることが出来る。また、垂直支持板前面に減速機構を、後面に駆動部を装着したので、取付状態を簡単化し、軽量で使い勝手の良い開閉バルブ用ハンドルの操作装置とすることが出来る。
【００１４】
また、本発明の第７の態様は、スタンドフレームは、側面視略Ｌ字状に構成し、下部突出部１４は足踏み固定フレームとしたことを特徴とする態様１乃至６の何れか１項に記載の開閉バルブ用ハンドルの操作装置である。
第７の態様によれば、スタンドフレームは、側面視略Ｌ字状に構成し、下部突出部１４は足踏み固定フレームとしたので、スタンドフレームを基礎として、各構成部品を装着することが出来、構成として合理的なものになる。また、下部突出部は足踏み固定フレームとしたので、開閉バルブ用ハンドルの操作装置を使用するとき、足踏み固定フレームを踏んで体重をかければ、操作装置が安定して使い勝手がよい。
【発明の効果】
【００１５】
請求項１の発明によれば、開閉バルブ用ハンドルの操作装置を使用するには、開閉バルブ用ハンドルにスタンドフレーム上部を臨ませ、ハンドルクランプ部の仮想円環上の複数位置に突設されたクランプバーを開閉バルブ用ハンドルのスポークに当接させる。このように、容易に操作装置を使用状態にすることが出来、操作が容易で、取扱性も良好であるという効果を有する。
駆動源固定部を介してスタンドフレーム上部に設定固定された電動駆動部を作動させると、電動駆動部の出力軸に、駆動部の出力軸前方のスタンドフレームに設置されて減速機構を介して、その減速出力部に連動連設された開閉操作を行うためのハンドルクランプ部が回動する。これにより、開閉バルブ用ハンドルが回転駆動され、開閉バルブが開くことになる。なお、同様にして駆動部を逆回転させれば、開閉バルブは閉じられる。このように、動力により開閉バルブ用ハンドルが回転駆動するので、作業能率が向上するという効果がある。
そして、ハンドルクランプ部に突設されたクランプバーを開閉バルブ用ハンドルのスポークから離せば、開閉バルブ用ハンドルの操作装置を搬送移動して別の現場で使用することが出来るので、使い勝手がよく、汎用性があるという効果を有する。
【００１６】
請求項２の発明によれば、
駆動部を電動ドライバーとしたので、市販の安価な電動ドライバーを使用することが出来、安価で単純な構造とすることが出来、コスト低減に寄与するという効果を有する。
【００１７】
請求項３の発明によれば、駆動部をＤＣモータとしたので、安定したＤＣモータを使用して、安定した性能の開閉バルブ用ハンドルの操作装置とすることが出来、性能が向上した装置となるという効果がある。
【００１８】
請求項４の発明によれば、駆動源固定部のステー係合部に電動ドライバーの左右ステーを固定し、支持フレームに電動ドライバーの下部ケースを支持するようにしたので、電動ドライバーを使用する構成として適切なものとなり、組立性の良い開閉バルブ用ハンドルの操作装置とすることが出来るという効果を有する。
【００１９】
請求項５の発明によれば、ハンドルクランプ部を、中心部を減速機構の減速出力部に連動連設したバー支持円環板と、該円環板の周縁に複数個突設したクランプバーと、より構成したので、開閉バルブ用ハンドルに操作装置を容易かつ確実に接続することが出来、使い勝手の良好な装置となるという効果を有する。
【００２０】
請求項６の発明によれば、スタンドフレームに垂直支持板を上下位置調整自在に取付けたので、開閉バルブ用ハンドルの高さに操作装置の垂直支持板の高さを容易に合わせることが出来、垂直支持板前面に減速機構を、後面に駆動部を装着したので、簡単な構成で、軽量で使い勝手の良い装置となるという効果を有する。
【００２１】
請求項７の発明によれば、スタンドフレームは、側面視略Ｌ字状に構成し、下部突出部１４は足踏み固定フレームとしたので、スタンドフレームを基礎として、各構成部品を装着することが出来、下部突出部は足踏み固定フレームとしたので、開閉バルブ用ハンドルの操作装置を使用するとき、足踏み固定フレームを踏んで体重をかければ、操作装置が安定して、使い勝手がよく、構成として合理的なものになるという効果を有する。
【図面の簡単な説明】
【００２２】
【図１】本発明の第１の実施の形態に係る開閉バルブ用ハンドルの操作装置を示す要部分解斜視図である。
【図２】本発明の第１の実施の形態に係る開閉バルブ用ハンドルの操作装置を背部側から見た斜視図である。
【図３】本発明の第１の実施の形態に係る開閉バルブ用ハンドルの操作装置の側面図である。
【図４】本発明の第１の実施の形態に係る開閉バルブ用ハンドルの操作装置の背面図である。
【図５】本発明の第１の実施の形態に係る開閉バルブ用ハンドルの操作装置を示し図４のＣ部の拡大図である。
【図６】本発明の第１の実施の形態に係る開閉バルブ用ハンドルの操作装置を示し図４のＡ−Ｂ部の拡大図である。
【図７】本発明の第１の実施の形態に係る開閉バルブ用ハンドルの操作装置の減速機構の正面図である。
【図８】本発明の第１の実施の形態に係る開閉バルブ用ハンドルの操作装置の減速機構の平面図である。
【図９】本発明の第１の実施の形態に係る開閉バルブ用ハンドルの操作装置の減速機構の縦断面図である。
【図１０】本発明の第１の実施の形態に係る開閉バルブ用ハンドルの操作装置のバー支持円環板の正面図である。
【図１１】本発明の第１の実施の形態に係る開閉バルブ用ハンドルの操作装置のバー支持円環板の側面図である。
【図１２】本発明の第１の実施の形態に係る開閉バルブ用ハンドルの操作装置のバー支持円環板の背面図である。
【図１３】本発明の第２の実施の形態に係る開閉バルブ用ハンドルの操作装置を背部側から見た斜視図である。
【図１４】本発明の第２の実施の形態に係る開閉バルブ用ハンドルの操作装置の側面図である。
【図１５】本発明の第２の実施の形態に係る開閉バルブ用ハンドルの操作装置の背面図である。
【図１６】本発明の第２の実施の形態に係る開閉バルブ用ハンドルの操作装置を示す図１４のＤ部の拡大図である。
【発明を実施するための形態】
【００２３】
次に、図面を参照して、本発明を実施するための形態（以下、実施の形態と称する）を説明する。以下の図面において、同一または類似の部分には同一または類似の符号を付している。ただし、図面は、模式的なものであり、各部の寸法の比率等は現実のものとは必ずしも一致しない。また、図面相互間においても互いの寸法の関係や比率が異なる部分が含まれることは勿論である。
【００２４】
＜１．第１の実施の形態＞
図１〜図４は、本発明の第１の実施の形態に係る開閉バルブ用ハンドルの操作装置１の構成例を示す図である。
【００２５】
図１及び図２に示すように、各構成部を装着するスタンドフレーム１０は、側枠柱１１を上端部と下端部とで、上辺材１２と下辺材１３とで連結し、下部突出部１４とで側面視略Ｌ字状に構成してある。下部突出部１４には足踏み固定フレーム１５を設けてある。足踏み固定フレーム１５はＵ字形をしており、端部１４ａが枢支ブラケット１１ａにより側枠柱１１に枢着され、Ｕ字形の短辺部分には接地駒１６が装着されている。また、足踏み固定フレーム１５は連結部材１５ａにより側枠柱１１の下端部に固結されている。側枠柱１１の中間部は連結材１７ａにより連結されている。そして図５に示すように、下辺材１３から枢支軸１３ａが突設され、枢支軸１３ａに移動輪１７が枢支されている。
【００２６】
図１〜図４に示すように、スタンドフレーム１０上部には、駆動源固定部２０を介して電動駆動部３０を設定固定してあり、第１の実施の形態では電動駆動部３０は電動ドライバー３１である。電動駆動部３０の出力軸３２に減速機構４０を介して開閉バルブ用ハンドルＨの開閉操作を行うためのハンドルクランプ部５０を連動連設してある。駆動源固定部２０は垂直支持板２１に駆動源支持部２５が設置されて成り、垂直支持板２１はスタンドフレーム１０に上下位置調整自在に取付けられている。垂直支持板２１の側辺部は摺動駒２２，２３によりスタンドフレーム１０の側枠柱１１に摺動可能に嵌合している。一方の摺動駒２３に必要により摺動を抑えるクランプレバー２４が設けられている。垂直支持板２１前面に減速機構４０を、後面側の駆動源支持部２５に電動駆動部３０である電動ドライバー３１を装着してある。
【００２７】
図１で解るように、駆動源固定部２０の駆動源支持部２５は、保持ブラケット２６により装着板２７が垂直支持板２１の後面側に突出形成されている。装着板２７には、電動ドライバー３１に設けられた左右ステー３３を固定するステー係合部２８と、電動ドライバー３１の蓄電池が収納されている下部ケース３４を支持するＵ字形の支持フレーム２９とが後方に突き出すよう設けられている。ステー係合部２８には電動ドライバー３１に設けられた左右ステー３３を嵌め込む挟持口２８ａが開設されている。
【００２８】
図１及び図７〜図９に示すように、減速機構４０は電動駆動部３０の出力軸３２前方でスタンドフレーム１０に支持された垂直支持板２１に設置され、減速機構４０の減速出力部４１にはハンドルクランプ部５０を連動連設してある。減速機構４０は、保持筐体４２に、小プーリー４３が中心軸４４により軸受４４ａ，４４ｂを介して枢支され、大プーリー４５が中心軸４６により軸受４６ａ，４６ｂを介して枢支されている。小プーリー４３と大プーリー４５との間にはタイミングベルト４７が巻き掛けられている。そして、小プーリー４３の中心軸４４には入力受部４８が設けられ電動ドライバー３１の出力軸３２が嵌合されており、大プーリー４５の中心軸４６に設けられている減速出力部４１にはハンドルクランプ部５０の接続部５５が勘合されている。
【００２９】
図１及び図１０〜図１２に示すように、ハンドルクランプ部５０は中心部を減速機構４０の減速出力部４１に連動連設したバー支持円環板５２の周縁にクランプバー５１が複数個突設されて成る。バー支持円環板５２は開閉バルブ用ハンドルＨに対応する仮想円環であり、クランプバー５１は、仮想円環上の複数位置に開閉バルブ用ハンドルＨのスポーク５６に当接自在に配置されていて、支持軸５１ａによりウレタン材の円筒形のものが支持されている。また、バー支持円環板５２は円板材に軽減孔５３が穿設され、前面側には開閉バルブ用ハンドルＨに吸着する磁石５４が設置され、後面側には、減速機構４０の減速出力部４１が固結される接続部５５が設けられている。
【００３０】
図１及び図６に示すように、スタンドフレーム１０と駆動源固定部２０の垂直支持板２１との間には、上下位置調整機構６０が設けられている。スタンドフレーム１０の上部には後方に突出するＵ字形の持ち手１９が固設され、持ち手１９に調整接続板６１が固設され、調整接続板６１と下方に位置する駆動源固定部２０の垂直支持板２１との間には台形ねじである調整ボルト６２が架設されている。調整接続板６１には調整ボルト６２の上端部を回動可能に支持する枢支部６３が設けられ、駆動源固定部２０の垂直支持板２１には、調整ボルト６２が螺合するナット６４を有する調整受部６５が設けられている。調整接続板６１から上方に突出した調整ボルト６２の上端突部にはハンドル円板６６が固結され、ハンドル円板６６の端縁部には調整ハンドル６７が設けられている。
【００３１】
開閉バルブ用ハンドルの操作装置１の操作手順は次のとおりである。まず操作装置１を使用場所に搬送する。搬送してから、スタンドフレーム１０の上部で後方に突出するＵ字形の持ち手１９、あるいは上辺材１２を掴んで、足踏み固定フレーム１５の接地駒１６を浮かせるように操作装置１を前方に傾け、移動輪１７を転がしながら使用場所に移動する。開閉バルブ用ハンドルＨにスタンドフレーム１０上部を臨ませ、上下位置調整機構６０により駆動源固定部２０を上下させて高さ位置調整を行う。上下位置調整機構６０の調整ハンドル６７を掴んでハンドル円板６６を回転させると、調整ボルト６２が、駆動源固定部２０の垂直支持板２１側の調整受部６５のナット６４に対して回動され、相対的にナット６４が移動し、回転方向に応じて駆動源固定部２０の垂直支持板２１が上下に移動し、開閉バルブ用ハンドルＨの高さに合わせることが出来る。垂直支持板２１の上下移動に応じてハンドルクランプ部５０と、その仮想円環上の複数位置に突設されたクランプバー５１も上下に移動調整される。高さ位置調整が出来たら、ハンドルクランプ部５０の仮想円環上の複数位置に突設されたクランプバー５１を開閉バルブ用ハンドルＨのスポーク５６に当接させる。
【００３２】
磁石５４を開閉バルブ用ハンドルＨに吸着させ、スタンドフレーム１０の足踏み固定フレーム１５を踏めば接地駒１６が踏面に押し付けられ、開閉バルブ用ハンドルの操作装置１の姿勢が安定する。そこで、スタンドフレーム１０上部の駆動源固定部２０に設定固定された電動駆動部３０の電動ドライバー３１の起動レバーを引いて作動させると、電動駆動部３０である電動ドライバー３１の出力軸３２前方の、スタンドフレーム１０に支持された垂直支持板２１に設置された減速機構４０を介して、その減速出力部４１に連動連設された開閉操作を行うためのハンドルクランプ部５０が回動する。ハンドルクランプ部５０に設けられたクランプバー５１により、開閉バルブ用ハンドルＨが回転駆動され、開閉バルブが開閉することになる。電動駆動部３０の電動ドライバー３１の出力軸３２の回転方向により開閉バルブ用ハンドルＨの回転方向が定まり、開閉バルブは開閉する。
【００３３】
開閉バルブ用ハンドルＨの操作が終了したら、ハンドルクランプ部５０に突設されたクランプバー５１を開閉バルブ用ハンドルＨのスポーク５６から離せば、磁石５４も開閉バルブ用ハンドルＨから離れ、フリーになった開閉バルブ用ハンドルの操作装置１を他の使用場所に搬送移動して使用することが出来る。
【００３４】
スタンドフレーム１０は、側面視略Ｌ字状に構成し、下部突出部１４は足踏み固定フレーム１５としたので、スタンドフレーム１０を基礎として、各構成部品を装着することが出来、構成として合理的なものになる。また、下部突出部１４には足踏み固定フレーム１５を設けたので、開閉バルブ用ハンドルの操作装置１を使用するとき安定する。
【００３５】
駆動源固定部２０のステー係合部２８に電動ドライバー３１の左右ステー３３を固定し、支持フレーム２９に電動ドライバーの蓄電池が収納された下部ケース３４を支持するようにしたので、電動ドライバーを使用する構成として適切なものとすることが出来る。
【００３６】
スタンドフレーム１０に垂直支持板２１を上下位置調整自在に取付けたので、開閉バルブ用ハンドルＨの高さに操作装置１の垂直支持板２１の高さを容易に合わせることが出来、使い勝手の良い開閉バルブ用ハンドルの操作装置１とすることが出来る。また、垂直支持板２１前面に減速機構４０を、後面に電動駆動部３０を装着したので、取付状態を簡単化し、軽量で使い勝手の良い開閉バルブ用ハンドルＨの操作装置１とすることが出来る。
【００３７】
電動駆動部３０を電動ドライバー３１としたので、市販の安価な電動ドライバーを使用することが出来、安価で単純な構造とすることが出来る。
【００３８】
ハンドルクランプ部５０を、中心部を減速機構４０の減速出力部４１に連動連設したバー支持円環板５２と、該円環板５２の周縁に複数個突設したクランプバー５１と、より構成したので、開閉バルブ用ハンドルＨに操作装置１を容易かつ確実に接続することが出来、使い勝手の良い開閉バルブ用ハンドルの操作装置１とすることが出来る。
＜２．第２の実施の形態＞
【００３９】
図１３〜図１５は本発明の第２の実施の形態を示している。第２の実施の形態は、電動駆動部３０をＤＣモータ３５とした開閉バルブ用ハンドルの操作装置１ａである。その他の構成は本発明の第１の実施の形態の構成と同様であるため、説明を省略する。なお、第２の実施の形態では、スタンドフレーム１０の下部に関連資材の収納部２が設けられている。
【００４０】
電動駆動部３０のＤＣモータ３５は、モータ本体３６に減速器３７を備えている。そして、支持筒３８ａに支持された出力軸３９が前方に突出しており、出力軸３９の先端３９ａにハンドルクランプ部５０の接続部５５が接続して装着されている。ＤＣモータ３５の電源は、蓄電池または商用電源を用いる。
第２の実施の形態によれば、電動駆動部３０はＤＣモータ３５としたため、安定したＤＣモータ３５を使用して、安定した性能の開閉バルブ用ハンドルの操作装置１とすることが出来る。
【符号の説明】
【００４１】
１，１ａ  開閉バルブ用ハンドルの操作装置
１０  スタンドフレーム
１４  下部突出部
１５  足踏み固定フレーム
１６  接地駒
１７  移動輪
２０  駆動源固定部
２１  垂直支持板
２５  駆動源支持部
２８  ステー係合部
２９  支持フレーム
３０  駆動部
３１  電動ドライバー
３２  出力軸
３３  左右ステー
３５  ＤＣモータ
４０  減速機構
４１  減速出力部
４２  保持筐体
４３  小プーリー
４５  大プーリー
４７  タイミングベルト
５０  ハンドルクランプ部
５１  クランプバー
５２  バー支持円環板
５５  接続部
６０  上下位置調整機構
６１  調整接続板
６２  調整ボルト
６４  ナット
６５  調整受部
６６  ハンドル円板
６７  調整ハンドル
【図１】
2019215034.tif 000003
【図２】
2019215034.tif 000004
【図３】
2019215034.tif 000005
【図４】
2019215034.tif 000006
【図５】
2019215034.tif 000007
【図６】
2019215034.tif 000008
【図７】
2019215034.tif 000009
【図８】
2019215034.tif 000010
【図９】
2019215034.tif 000011
【図１０】
2019215034.tif 000012
【図１１】
2019215034.tif 000013
【図１２】
2019215034.tif 000014
【図１３】
2019215034.tif 000015
【図１４】
2019215034.tif 000016
【図１５】
2019215034.tif 000017
【図１６】
2019215034.tif 000018